(57)【要約】【課題】複数の照明制御装置がいわゆる隠れ端末状態にあったとしても、複数の照明制御装置と照明器具との間の通信状態を目視で簡便に、かつ、正確に判定可能な照明制御装置、照明システム及び無線通信状態の判定支援方法を提供できる。【解決手段】照明制御装置１０ａ及び１０ｂは、照明器具２０ａ〜２０ｄの調光を制御する照明制御装置５であって、照明器具２０ａ〜２０ｄと無線通信をする第１通信部１３と、照明器具２０ａ〜２０ｄの調光状態を第１時間かけて第１状態から第２状態に遷移させるためのコマンドを、第１通信部１３を介して、照明器具２０ａ〜２０ｄに、第１時間よりも短い第２時間の時間間隔で、繰り返し送信するテストモードを有する第１制御部１２とを備える。【選択図】図１
2018163862.tif 000002
【特許請求の範囲】
【請求項１】
照明器具の調光を制御する照明制御装置であって、
前記照明器具と無線通信をする第１通信部と、
前記照明器具の調光状態を第１時間かけて第１状態から第２状態に遷移させるためのコマンドを、前記第１通信部を介して、前記照明器具に、前記第１時間よりも短い第２時間の時間間隔で、繰り返し送信するテストモードを有する第１制御部と
を備える照明制御装置。
【請求項２】
前記第１状態は、前記照明器具が最大の明るさで発光する第１調光状態、及び、前記照明器具が消灯している第２調光状態の一方であり、
前記第２状態は、前記第１調光状態、及び、前記第２調光状態の他方である
請求項１記載の照明制御装置。
【請求項３】
さらに、前記テストモードにおける前記照明器具の点灯状態を取得するセンサを備え、
前記第１制御部は、前記センサが検知した前記点灯状態に基づいて、前記照明制御装置と前記照明器具との間の無線通信における混雑度を判定する
請求項１又は２記載の照明制御装置。
【請求項４】
照明器具と、
前記照明器具の調光を制御する請求項１〜３のいずれか１項に記載の照明制御装置と、  を備える照明システム。
【請求項５】
前記照明器具は、
光源と、
前記照明制御装置と無線通信をする第２通信部と、
前記照明制御装置から送信されてきた前記コマンドを前記第２通信部が受信した場合に、受信された前記コマンドを実行することによって前記光源の明るさを制御する第２制御部と、を備え、
前記第２制御部は、前記コマンドの実行においては、前記光源を直前の状態よりも明るくさせる制御及び直前の状態よりも暗くさせる制御のうちの一方だけを行う
請求項４記載の照明システム。
【請求項６】
照明器具と前記照明器具の調光を無線通信によって制御する照明制御装置との間の無線通信における混雑度の判定を支援する無線通信状況の判定支援方法であって、
前記照明制御装置が、前記照明器具の調光状態を第１時間かけて第１状態から第２状態に遷移させるためのコマンドを、前記照明器具に、前記第１時間よりも短い第２時間の時間間隔で、無線通信によって繰り返し送信するテストステップを含む
無線通信状況の判定支援方法。
【発明の詳細な説明】
【技術分野】
【０００１】
本発明は、照明制御装置、照明システム及び無線通信状況の判定支援方法に関し、より詳細には、照明器具の調光を制御する照明制御装置、照明制御装置及び照明器具を備える照明システム、並びに、照明制御装置と照明器具との間の無線通信状態の判定支援方法に関する。
【背景技術】
【０００２】
従来の照明システムでは、照明制御装置と照明器具とが無線で通信している場合、無線の通信状態を確認するために、照明制御装置は、照明器具に通信確認モードへの遷移を指示する通信確認コマンドを送信する。通信確認コマンドを受信した照明器具は、コマンドに従い、点灯状態を変化させる。これにより、照明制御装置と照明器具とが無線通信をできる状態にあるか否かを判別できる。
【０００３】
例えば、特許文献１は、多くの照明器具が設置される環境下であっても、意図した照明器具を対象として確実にペアリングを行うことができる照明システムを開示する。この照明システムは、調光コントローラ（以下、照明制御装置）から電波で送信される調光コマンドに従い点灯状態を変える照明器具と、照明制御装置と、照明器具に対し通信確認モードへの遷移を指示するコマンドを送信する操作コントローラ（以下、リモコン）とを備える。これにより、多くの照明器具が設置される環境下であっても、通信状態を確認したい照明器具をリモコンにより指定することができ、通信確認モードに遷移した照明器具が調光コマンドに従い所定の点灯状態になるか否かで、通信状態を目視で容易に判別できる。
【先行技術文献】
【特許文献】
【０００４】
【特許文献１】特開２０１７−０１０８９８号公報
【発明の概要】
【発明が解決しようとする課題】
【０００５】
しかしながら、特許文献１の照明システムでは、照明器具が複数の照明制御装置から調光コマンドを受信可能な状態である場合には、もはや正確に通信状態を目視で判別することが困難になるという問題がある。複数の照明制御装置が互いに電波を感知できない位置にある場合、複数の照明制御装置のそれぞれから照明器具に対して送信された調光コマンドが衝突する場合があるためである。すなわち、特許文献１の照明システムでは、複数の照明制御装置がいわゆる隠れ端末状態にある場合には、照明器具と照明制御装置との通信状態を正確に判定することが困難になるという問題がある。
【０００６】
本発明は、複数の照明制御装置がいわゆる隠れ端末状態にあったとしても、複数の照明制御装置と照明器具との間の通信状態を目視で簡便に、かつ、正確に判定可能な照明制御装置、照明システム及び無線通信状況の判定支援方法を提供する。
【課題を解決するための手段】
【０００７】
本発明に係る照明制御装置の一形態は、照明器具の調光を制御する装置であって、照明器具と無線通信をする第１通信部と、照明器具の調光状態を第１時間かけて第１状態から第２状態に遷移させるためのフェードコマンドを、第１通信部を介して、照明器具に、第１時間よりも短い第２時間の時間間隔で、繰り返し送信するテストモードを有する第１制御部とを備える。
【０００８】
また、本発明に係る照明システムの一形態は、照明器具と、照明器具の調光を制御する上記照明制御装置と、を備える。
【０００９】
また、本発明に係る無線通信状況の判定支援方法の一形態は、照明器具と照明器具の調光を無線通信によって制御する照明制御装置との間の無線通信における混雑度の判定を支援する方法であって、照明制御装置が、照明器具の調光状態を第１時間かけて第１状態から第２状態に遷移させるためのフェードコマンドを、照明器具に、第１時間よりも短い第２時間の時間間隔で、無線通信によって繰り返し送信するテストステップを含む。
【発明の効果】
【００１０】
本発明により、複数の照明制御装置がいわゆる隠れ端末状態にあったとしても、複数の照明制御装置と照明器具との間の通信状態を目視で簡便に、かつ、正確に判定可能な照明制御装置、照明システム及び無線通信状態の判定支援方法を提供できる。
【図面の簡単な説明】
【００１１】
【図１】図１は、実施の形態に係る照明システムの構成を示す図である。
【図２】図２は、図１における照明制御装置の構成を示すブロック図である。
【図３】図３は、図１における照明器具の構成を示すブロック図である。
【図４Ａ】図４Ａは、実施の形態に係る照明制御装置のテストモードでの動作を示すフローチャートである。
【図４Ｂ】図４Ｂは、実施の形態に係る照明器具の動作を示すフローチャートである。
【図５】図５は、実施の形態に係る照明器具の動作を示すタイミングチャートである。
【図６】図６は、実施の形態に係る照明制御装置の通信状態の判定機能を示すフローチャートである。
【図７】図７は、実施の形態の変形例に係る照明器具の動作を示すタイミングチャートである。
【発明を実施するための形態】
【００１２】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１３】
図１は、実施の形態に係る照明システム５の構成を示す図である。この照明システム５は、照明器具２０ａ〜２０ｄの調光を制御するシステムであり、端末３０、照明制御装置１０ａ及び１０ｂ、並びに、照明器具２０ａ〜２０ｄで構成される。
【００１４】
照明器具２０ａ〜２０ｄ（以下、「照明器具２０ａ等」とも記す）は、照明制御装置１０ａ及び１０ｂからの無線通信によるコマンドを受信した場合に、コマンドを実行することで、調光及び調色を行う器具であり、例えば、シーリングライトである。なお、「調光の制御」とは、少なくとも調光の制御を含む意味であり、調色の制御が含まれてもよい。
【００１５】
照明制御装置１０ａは、照明器具２０ａ及び２０ｂに対して無線通信によって調光を制御するコントローラである。照明制御装置１０ｂは、照明器具２０ｂ〜２０ｄに対して無線通信によって調光を制御するコントローラである。つまり、照明器具２０ｂは、照明制御装置１０ａ及び１０ｂのいずれからも電波が届く位置に設置され、照明制御装置１０ａ及び１０ｂのいずれからも制御され得る。ただし、照明制御装置１０ａ及び１０ｂは、いわゆる隠れ端末状態にあり、お互いに相手の電波を感知できない位置に設置されている。よって、照明制御装置１０ａ及び１０ｂは、他方の照明制御装置がコマンドを送信することを感知できないために、他方の照明制御装置の動作を監視することなく、コマンドを送信する。そのために、照明制御装置１０ａから送信されたコマンドと照明制御装置１０ｂから送信されたコマンドとが衝突する可能性がある。
【００１６】
なお、照明制御装置１０ａ及び１０ｂは、照明器具２０ａ〜２０ｄに対する調光の制御だけでなく、照明制御装置と照明器具間との間の無線通信における混雑度を判定するためのコマンドを送信するテストモードを実行する機能も有する。さらに、照明制御装置１０ａ及び１０ｂは、照明制御装置と照明器具間との間の無線通信における混雑度を判定する機能も有する。
【００１７】
端末３０は、無線通信又は有線通信（ここでは、無線通信）によって、照明制御装置１０ａ及び１０ｂに対して、調光の制御を実行させたり、テストモードを実行させたり、混雑度を判定させたりする指示を送る。端末３０は、例えば、スマートフォン又はタブレット端末等である。
【００１８】
図２は、図１における照明制御装置１０ａ及び１０ｂの構成を示すブロック図である。照明制御装置１０ａ及び１０ｂは、いずれも同じ構成を備え、センサ１１、第１制御部１２及び第１通信部１３を備える。
【００１９】
センサ１１は、テストモードにおける照明器具の点灯状態を取得するためのセンサであり、例えば、照度センサである。
【００２０】
第１通信部１３は、照明器具２０ａ等及び端末３０と無線通信をする通信インタフェースであり、例えば、無線ＬＡＮ又はＢｌｕｅｔｏｏｔｈ（登録商標）等である。なお、本実施の形態では、第１通信部１３は、照明器具２０ａ等との通信、及び、端末３０との通信を兼ねた通信インタフェースであったが、これらの２種類の通信のそれぞれについて分離された通信インタフェースであってもよい。
【００２１】
第１制御部１２は、端末３０からの指示に従って、第１通信部１３を介して照明器具２０ａ等にコマンドを送信することで、照明器具２０ａ等の調光を制御する。また、第１制御部１２は、照明器具２０ａ等の調光状態を第１時間かけて第１状態から第２状態に遷移させるためのコマンド（以下、このコマンドを「フェードコマンド」という）を、第１通信部１３を介して、照明器具２０ａ等に、第１時間よりも短い第２時間の時間間隔で、繰り返し送信するテストモードを有する。なお、第１状態は、照明器具２０ａ等が最大の明るさで発光する第１調光状態、及び、照明器具２０ａ等が消灯している第２調光状態の一方であり、第２状態は、第１調光状態、及び、第２調光状態の他方である。
【００２２】
さらに、第１制御部１２は、センサ１１が検知した点灯状態に基づいて、照明制御装置と照明器具との間の無線通信における混雑度を判定する機能も有する。なお、第１制御部１２は、例えば、プログラムが格納されたＲＯＭ、ＲＡＭ、プログラムを実行するプロセッサ、及び、各種入出力ポート等を有するマイクロコンピュータで実現される。
【００２３】
図３は、図１における照明器具２０ａ〜２０ｄの構成を示すブロック図である。照明器具２０ａ〜２０ｄは、いずれも同じ構成を備え、第２通信部２１、第２制御部２２、及び、光源２３を備える。
【００２４】
第２通信部２１は、照明制御装置１０ａ及び１０ｂと無線通信をする通信インタフェースであり、例えば、無線ＬＡＮ又はＢｌｕｅｔｏｏｔｈ（登録商標）等である。
【００２５】
光源２３は、第２制御部２２による制御の下で光を発する光源であり、例えば、ＬＥＤである。
【００２６】
第２制御部２２は、照明制御装置１０ａ及び１０ｂから送信されてきたコマンドを第２通信部２１が受信した場合に、受信されたコマンドを実行することによって光源２３の明るさを制御する。例えば、第２制御部２２は、照明制御装置１０ａ又は１０ｂからフェードコマンドを受信した場合には、調光状態を第１時間かけて第１状態から第２状態に遷移させるように、光源２３に流れる電流を制御する。なお、第２制御部２２は、例えば、プログラムが格納されたＲＯＭ、ＲＡＭ、プログラムを実行するプロセッサ、及び、各種入出力ポート等を有するマイクロコンピュータで実現される。
【００２７】
次に、以上のように構成された本実施の形態に係る照明システム５の動作について、説明する。
【００２８】
図４Ａは、本実施の形態に係る照明制御装置１０ａ及び１０ｂのテストモードでの動作を示すフローチャートである。なお、照明制御装置１０ａ及び１０ｂは、いずれも、同一の機能を有するので、ここでは、照明制御装置１０ａに着目し、照明制御装置１０ａの動作として説明する。また、このフローチャートに示される手順は、照明器具と照明制御装置との間の無線通信における混雑度の判定を支援する無線通信状況の判定支援方法でもある。
【００２９】
照明制御装置１０ａでは、まず、第１制御部１２は、端末３０から、テストモードを実行する指示を受けると、第１通信部１３を介して、照明器具２０ａ及び２０ｂに、フェードコマンドを送る（Ｓ０１）。つまり、第１制御部１２は、照明器具の調光状態を第１時間（例えば、５秒間）かけて第１状態から第２状態に遷移させるためのフェードコマンドを送信する。
【００３０】
続いて、第１制御部１２は、第１時間よりも短い第２時間（例えば、１秒間）が経過したか否かを判断する（Ｓ０２）。
【００３１】
その結果、第１制御部１２は、第２時間が経過していないと判断した場合には（Ｓ０２でＮＯ）、ステップＳ０２の判断を繰り返し、一方、第２時間が経過したと判断した場合には（Ｓ０２でＹＥＳ）、再び、フェードコマンドを送る（Ｓ０１）。
【００３２】
このように、テストモードでは、照明制御装置１０ａは、照明器具の調光状態を第１時間かけて第１状態から第２状態に遷移させるフェードコマンドを、第１時間よりも短い第２時間の時間間隔で、照明器具２０ａ及び２０ｂに向けて、繰り返し送信する（テストステップ）。
【００３３】
なお、照明制御装置１０ａは、端末３０からテストモードを終了する指示を取得した場合、あるいは、予め定められたテストモードの時間が経過した場合には、図４Ａに示される処理を終了する。
【００３４】
図４Ｂは、本実施の形態に係る照明器具２０ａ〜２０ｄの動作を示すフローチャートである。なお、照明器具２０ａ〜２０ｄは、いずれも、同一の機能を有するので、ここでは、照明器具２０ｂに着目し、照明器具２０ｂの動作として説明する。
【００３５】
照明器具２０ｂでは、まず、第２制御部２２は、照明制御装置１０ａ及び１０ｂから送信されてきたコマンド（ここでは、フェードコマンド）を第２通信部２１が受信したか否かを判断する（Ｓ１０）。
【００３６】
その結果、第２制御部２２は、第２通信部２１がコマンド（ここでは、フェードコマンド）を受信していないと判断した場合には（Ｓ１０でＮＯ）、ステップＳ１０の判断を繰り返す。一方、第２制御部２２は、第２通信部２１がコマンド（ここでは、フェードコマンド）を受信したと判断した場合には（Ｓ１０でＹＥＳ）、いま受信したフェードコマンドの実行を開始、つまり、フェードを開始し（Ｓ１１）、再びステップＳ１０の判断を繰り返す。
【００３７】
このように、照明器具２０ｂは、フェードコマンドを受信する度に、即座に、フェードコマンドの実行を開始する。つまり、照明器具２０ｂは、既に実行中のコマンドがある場合であっても、そのコマンドの実行を中止し、いま受信したフェードコマンドを優先して実行を開始する。
【００３８】
図５は、テストモードにおける照明器具２０ａ〜２０ｄ（ここでは、照明器具２０ｂとする）の動作（ここでは、調光率の変化）を示すタイミングチャートである。図５の（ａ）は、フェードコマンドの衝突が少ないケースにおける調光率の変化を示す。図５の（ｂ）は、フェードコマンドの衝突が中程度の頻度で生じるケースにおける調光率の変化を示す。図５の（ｃ）は、フェードコマンドの衝突が多いケースにおける調光率の変化を示す。
【００３９】
また、本図では、テストモードにおいて、照明器具の調光状態を第１時間Ｔ１かけて１００％の調光状態（フル点灯）から消灯に遷移させるフェードコマンドが、第２時間Ｔ２の時間間隔で、照明制御装置から照明器具に繰り返し送信されるケースが図示されている。
【００４０】
図５の（ａ）に示されるように、フェードコマンドの衝突が少ないケースでは、照明器具２０ｂに向けて送信されたフェードコマンドの多くが照明器具２０ｂで実行されるために、第２時間Ｔ２おきに、１００％の調光状態（フル点灯）から消灯に向けて遷移する調光率の変化が多く生じる。よって、このケースでは、比較的明るい状態が維持される。
【００４１】
また、図５の（ｂ）に示されるように、フェードコマンドの衝突が中程度の頻度で生じるケースでは、照明器具２０ｂに向けて送信されたフェードコマンドの一部が衝突して破壊され、照明器具２０ｂで実行されないために、図５の（ａ）に比べ、調光率が低下する状態が多く生じる。よって、このケースでは、平均的に、図５の（ａ）よりも暗い状態に維持される。
【００４２】
また、図５の（ｃ）に示されるように、フェードコマンドの衝突が多いケースでは、照明器具２０ｂに向けて送信されたフェードコマンドの多くが衝突して破壊され、照明器具２０ｂで実行されないために、図５の（ｂ）に比べ、さらに調光率が低下する状態が多く生じる。よって、このケースでは、平均的に、図５の（ｂ）よりも更に暗い状態に維持される。
【００４３】
このように、テストモードでは、フェードコマンドの衝突の頻度に応じて照明器具の調光状態が決定されることになり、テストモードにおける照明器具の調光状態を目視することで、照明制御装置と照明器具との間の通信状態を簡便に、かつ、正確に判定できる。
【００４４】
図６は、本実施の形態に係る照明制御装置１０ａ及び１０ｂの通信状態の判定機能を示すフローチャートである。なお、照明制御装置１０ａ及び１０ｂは、いずれも、同一の機能を有するので、ここでは、照明制御装置１０ａに着目し、照明制御装置１０ａの動作として説明する。
【００４５】
照明制御装置１０ａでは、まず、センサ１１は、テストモードにおいて、テストモードの対象となっている照明器具２０ｂの点灯状態を検出する（Ｓ２０）。例えば、センサ１１は、一定時間間隔で、テストモードの対象となっている照明器具２０ｂによる明るさを測定し、第１制御部１２に伝えることを繰り返す。
【００４６】
そして、第１制御部１２は、センサ１１が検知した点灯状態に基づいて、照明制御装置と照明器具との間の無線通信における混雑度を判定する（Ｓ２１）。例えば、第１制御部１２は、センサ１１による直前の５回分の測定結果（明るさ）の平均値を算出し、予め対応づけられた明るさと混雑度との関係を参照することで、算出した平均値に対応する混雑度を判定することを、一定時間間隔で繰り返す。
【００４７】
最後に、第１制御部１２は、判定した混雑度を端末３０に送る（Ｓ２３）。例えば、第１制御部１２は、一定時間間隔で判定した混雑度を端末３０に送信する。これにより、端末３０では、テストモードにおいて、照明制御装置と照明器具との間の無線通信における混雑度が更新されながら表示される。
【００４８】
以上のように、本実施の形態に係る照明制御装置１０ａ及び１０ｂは、照明器具２０ａ等の調光を制御する装置であって、照明器具２０ａ等と無線通信をする第１通信部１３と、照明器具２０ａ等の調光状態を第１時間かけて第１状態から第２状態に遷移させるためのフェードコマンドを、第１通信部１３を介して、照明器具２０ａ等に、第１時間よりも短い第２時間の時間間隔で、繰り返し送信するテストモードを有する第１制御部１２とを備える。
【００４９】
これにより、フェードコマンドを受けた照明器具２０ａ等がフェードコマンドを受ける度に新たに受信したフェードコマンドの実行を開始することで、フェードコマンドの衝突の頻度に応じて照明器具２０ａ等の調光状態が変化する。つまり、フェードコマンドの衝突が少ない場合にはフェードコマンドが実行される頻度が多くなり、照明器具２０ａ等の調光状態は第１状態に近い状態に維持される。一方、フェードコマンドの衝突が多い場合にはフェードコマンドが実行される頻度が少なくなり、照明器具２０ａ等の調光状態は、第２状態に近い状態が頻繁に発生する。よって、照明制御装置１０ａ及び１０ｂがいわゆる隠れ端末状態にあったとしても、フェードコマンドの衝突の頻度に応じて照明器具２０ａ等の調光状態が決定されることになり、照明制御装置と照明器具との間の通信状態を目視で簡便に、かつ、正確に判定できる。
【００５０】
ここで、第１状態は、照明器具２０ａ等が最大の明るさで発光する第１調光状態、及び、照明器具２０ａ等が消灯している第２調光状態の一方であり、第２状態は、第１調光状態、及び、第２調光状態の他方である。
【００５１】
これにより、フェードコマンドを受信した照明器具２０ａ等は、最大の明るさで発光する状態から消灯する状態に向けて調光状態をフェードさせる、又は、消灯状態から最大の明るさで発光する状態に向けて調光状態をフェードさせる。よって、照明器具２０ａ等の明るさを確認することで、フェードコマンドの衝突状態を確認できる。
【００５２】
また、照明制御装置１０ａ及び１０ｂは、テストモードにおける照明器具２０ａ等の点灯状態を取得するセンサ１１を備え、第１制御部１２は、センサ１１が検知した点灯状態に基づいて、照明制御装置と照明器具との間の無線通信における混雑度を判定する。
【００５３】
これにより、テストモードにおいて、照明器具２０ａの調光状態を目視で確認することなく、照明制御装置１０ａ及び１０ｂによって無線通信における混雑度が自動的に判定される。
【００５４】
また、本実施の形態に係る無線通信状況の判定支援方法は、照明器具２０ａ等と照明器具の調光を無線通信によって制御する照明制御装置１０ａ及び１０ｂとの間の無線通信における混雑度の判定を支援する方法であって、照明制御装置１０ａ及び１０ｂが、照明器具２０ａ等の調光状態を第１時間かけて第１状態から第２状態に遷移させるためのフェードコマンドを、照明器具２０ａ等に、第１時間よりも短い第２時間の時間間隔で、無線通信によって繰り返し送信するテストステップ（Ｓ０１）を含む。
【００５５】
これにより、フェードコマンドを受けた照明器具２０ａ等がフェードコマンドを受ける度に新たに受信したフェードコマンドの実行を開始することで、フェードコマンドの衝突の頻度に応じて照明器具２０ａ等の調光状態が変化する。よって、照明制御装置１０ａ及び１０ｂがいわゆる隠れ端末状態にあったとしても、フェードコマンドの衝突の頻度に応じて照明器具２０ａ等の調光状態が決定されることになり、照明制御装置と照明器具との間の通信状態を目視で簡便に、かつ、正確に判定できる。
【００５６】
以上、本発明に係る照明システム、調光制御装置、及び、無線通信状況の判定支援方法について、実施の形態に基づいて説明したが、本発明は、この実施の形態に限定されるものではない。本発明の主旨を逸脱しない限り、当業者が思いつく各種変形を本実施の形態に施したものや、実施の形態における一部の構成要素を組み合わせて構築される別の形態も、本発明の範囲内に含まれる。
【００５７】
例えば、上記実施の形態では、照明器具２０ａ〜２０ｂの第２制御部２２は、フェードコマンドを受信する度に、即座に、フェードコマンドの実行を開始した。しかしながら、第２制御部２２は、フェードコマンドの実行においては、光源２３を直前の状態よりも明るくさせる制御及び直前の状態よりも暗くさせる制御のうちの一方だけを行うピークホールドを行ってもよい。
【００５８】
図７は、実施の形態の変形例に係る照明器具によるピークホールドの動作を説明する図である。ここには、図５と同様に、テストモードにおける照明器具の動作（つまり、調光率の変化）を示すタイミングチャートが示されている。
【００５９】
本図に示されるように、本変形例に係る照明器具では、第２制御部は、フェードコマンドの実行において、光源２３を直前の状態よりも明るくさせる制御及び直前の状態よりも暗くさせる制御のうちの一方（ここでは、直前の状態よりも暗くさせる制御）だけを行う。
【００６０】
これにより、照明器具では、フェードコマンドの実行において、明るさ又は暗さのピークがホールドされる。つまり、照明器具の明るさ又は暗さを確認することで、無線通信の混雑度が分かる。
【００６１】
また、上記実施の形態及び変形例のタイミングチャートでは、フェードコマンドの実行において、光源２３を直前の状態よりも暗くさせる制御について説明したが、テストモードを照明器具２０ａ等の消灯状態から開始し、光源２３を直前の状態よりも明るくさせる制御を行ってもよい。
【００６２】
これにより、テストモードにおける照明器具の調光状態を目視することで、照明制御装置と照明器具との間の通信状態を簡便に、かつ、正確に判定できる。
【００６３】
また、上記実施の形態及び変形例では、フェードコマンドの中に、第１時間、第１調光状態及び第２調光状態の具体値を指定した変数が組み込まれてもよい。
【００６４】
また、上記実施の形態及び変形例では、照明制御装置１０ｂは、照明器具２０ｂ〜２０ｄに対して無線通信によって調光を制御するコントローラである例を示したが、照明制御装置１０ｂは、照明器具２０ｃ及び２０ｄだけに対して調光を制御するコントローラであってもよい。このとき、照明器具２０ｂは、照明制御装置１０ａだけによって制御されるが、照明制御装置１０ｂからの無線信号も受信する。よって、このようなケースでも、照明器具２０ｂは、照明制御装置１０ａからのコマンドと照明制御装置１０ｂからのコマンドとが衝突し得る。
【００６５】
また、上記実施の形態及び変形例では、テストモードにおける照明器具の調光は明るさの制御を例示しているが、それに代えて、又は、加えて、調色の制御であってもよい。これにより、照明器具の色調の違いを目視することで、照明制御装置と照明器具との間の通信状態を簡便に、かつ、正確に判定できる。
【００６６】
また、上記実施の形態では、テストモードにおいて、照明制御装置と照明器具との間の無線通信における混雑度が更新されながら端末３０に表示される例を示したが、照明制御装置に表示されてもよい。
【符号の説明】
【００６７】
５  照明システム
１０ａ、１０ｂ  照明制御装置
１１  センサ
１２  第１制御部
１３  第１通信部
２０ａ〜２０ｄ  照明器具
２１  第２通信部
２２  第２制御部
２３  光源
【図１】
2018163862.tif 000003
【図２】
2018163862.tif 000004
【図３】
2018163862.tif 000005
【図４Ａ】
2018163862.tif 000006
【図４Ｂ】
2018163862.tif 000007
【図５】
2018163862.tif 000008
【図６】
2018163862.tif 000009
【図７】
2018163862.tif 000010